【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
所定のメインコンテンツと、上記所定のメインコンテンツにリンクすることを望むサブコンテンツとの間でリンク付けを管理するリンク管理装置であって、
上記メインコンテンツの権利者の装置であるメインコンテンツ権利者装置から、解読用鍵を受信する解読用鍵受信手段と；
上記サブコンテンツの権利者の装置であるサブコンテンツ権利者装置から、上記メインコンテンツに上記サブコンテンツをリンク付けすることを依頼するコンテンツリンク依頼情報を受信するコンテンツリンク依頼情報受信手段と；
上記受信した上記解読用鍵を用いて、上記サブコンテンツ権利者装置から受信したコンテンツリンク依頼情報に含まれている暗号化されたリンク許諾情報を解読する解読手段と；
上記解読が成功し、上記コンテンツリンク依頼情報が、上記解読したリンク許諾情報と整合していれば、上記コンテンツリンク依頼情報を登録するコンテンツリンク依頼情報登録手段と；
を有することを特徴とするリンク管理装置。
【請求項２】
所定のメインコンテンツと、上記所定のメインコンテンツにリンクすることを望むサブコンテンツとの間でリンク付けを管理するリンク管理方法であって、
上記メインコンテンツの権利者の装置であるメインコンテンツ権利者装置から、解読用鍵を受信する解読用鍵受信段階と；
上記サブコンテンツの権利者の装置であるサブコンテンツ権利者装置から、上記メインコンテンツに上記サブコンテンツをリンク付けすることを依頼するコンテンツリンク依頼情報を受信するコンテンツリンク依頼情報受信段階と；
上記受信した上記解読用鍵を用いて、上記サブコンテンツ権利者装置から受信したコンテンツリンク依頼情報に含まれている暗号化されたリンク許諾情報を解読する解読段階と；
上記解読が成功し、上記コンテンツリンク依頼情報が、上記解読したリンク許諾情報と整合していれば、上記コンテンツリンク依頼情報を登録するコンテンツリンク依頼情報登録段階と；
を有することを特徴とするリンク管理方法。
【請求項３】
所定のメインコンテンツにリンクすることを望むサブコンテンツの権利者の装置であるサブコンテンツ権利者装置と、上記メインコンテンツの権利者の装置であるメインコンテンツ権利者装置と、上記メインコンテンツと上記サブコンテンツとの間でリンク付けを管理するリンク管理装置とを有するコンテンツ間リンク付け制御システムであって、
上記サブコンテンツ権利者装置は、上記メインコンテンツにリンクすることに関する許諾を、上記メインコンテンツ権利者装置に伺い、上記メインコンテンツ権利者装置から、上記メインコンテンツに上記サブコンテンツをリンクさせる場合におけるリンク条件を暗号化したリンク許諾情報を受信し、上記受信したリンク許諾情報に基づいて、上記リンク管理装置にリンク付けを依頼する装置であり、
上記メインコンテンツ権利者装置は、上記リンク管理装置に解読用鍵を送信する装置であり、また、上記サブコンテンツ権利者装置から受けた上記コンテンツリンク伺いに基づいて、上記コンテンツリンク伺いを許諾するかまたは拒否するかを判断し、上記サブコンテンツ権利者装置に許諾を与える場合に、上記リンク条件を暗号化したリンク許諾情報を上記サブコンテンツ権利者装置に送信する装置であり、
上記リンク管理装置は、上記メインコンテンツ権利者装置から上記解読用鍵を受信し、上記サブコンテンツ権利者装置から上記リンク付けを依頼するコンテンツリンク依頼情報を受信し、上記受信した上記解読用鍵を用いて、上記サブコンテンツ権利者装置から受信したコンテンツリンク依頼情報に含まれている暗号化されたリンク許諾情報を解読し、上記解読が成功し、上記コンテンツリンク依頼情報が、上記解読したリンク許諾情報と整合していれば、上記コンテンツリンク依頼情報を登録する装置であることを特徴とするコンテンツ間リンク付け制御システム。
【請求項４】
請求項３において、
上記リンク管理装置は、当該解読用鍵を用いて、受信した上記コンテンツリンク許諾情報の解読を試みた結果、解読できない場合には、上記コンテンツリンク許諾情報が不正であると判断し、上記サブコンテンツ権利者装置にその旨を返信するとともに、上記メインコンテンツ権利者装置に不正なコンテンツリンク依頼があった旨の情報を送信する手段を具備することを特徴とするコンテンツ間リンク付け制御システム。
【請求項５】
請求項３において、
上記メインコンテンツ権利者装置は、上記メインコンテンツをネットワーク上に公開するメインコンテンツ公開手段を具備する装置であり、
上記サブコンテンツ権利者装置は、上記サブコンテンツをネットワーク上に公開するサブコンテンツ公開手段を具備する装置であることを特徴とするコンテンツ間リンク付け制御システム。
【請求項６】
請求項３において、
上記サブコンテンツ権利者装置は、
上記リンク許諾情報に追加する追加リンク情報がある場合には、上記追加リンク情報を作成する手段と；
上記追加リンク情報と上記リンク許諾情報とを使用して、コンテンツリンク情報の登録依頼を送信する手段と；
を具備することを特徴とするコンテンツ間リンク付け制御システム。
【請求項７】
請求項３において、
上記サブコンテンツ権利者装置は、既に登録されているリンク情報を更新する際に、更新内容が、当該登録リンク情報におけるリンク許諾情報の範囲内であれば、メインコンテンツ権利者装置の許諾を改めて得ることなく、上記リンク管理装置にリンク情報の更新を依頼する手段を具備し、
上記リンク管理装置は、上記更新依頼が、正当な権利を有するサブコンテンツ権利者装置からのものであることを確認できれば、当該更新依頼の内容に基づいてリンク情報を更新する手段を具備することを特徴とするコンテンツ間リンク付け制御システム。
【請求項８】
請求項３において、
上記サブコンテンツ権利者装置は、既に登録されているリンク情報を削除する場合に、当該削除依頼を、上記リンク管理装置に送信する手段を有することを特徴とするコンテンツ間リンク付け制御システム。
【請求項９】
所定のメインコンテンツにリンクすることを望むサブコンテンツの権利者の装置であるサブコンテンツ権利者装置と、上記メインコンテンツの権利者の装置であるメインコンテンツ権利者装置と、上記メインコンテンツと上記サブコンテンツとの間でリンク付けを管理するリンク管理装置とを有するコンテンツ間リンク付け制御方法であって、
上記メインコンテンツ権利者装置が上記リンク管理装置に解読用鍵を送信する解読鍵送信段階と；
上記サブコンテンツ権利者装置が、上記メインコンテンツにリンクすることに関する許諾を、上記メインコンテンツ権利者装置に伺うコンテンツリンク伺い段階と；
上記メインコンテンツ権利者装置が、上記サブコンテンツ権利者装置から受けた上記コンテンツリンク伺いに基づいて、上記コンテンツリンク伺いを許諾するかまたは拒否するかを判断する判断段階と；
上記メインコンテンツ権利者装置が、上記コンテンツリンク伺いを許諾する場合、上記メインコンテンツに上記サブコンテンツをリンクさせる場合におけるリンク条件を暗号化したリンク許諾情報を、上記サブコンテンツ権利者装置に送信するコンテンツ許諾情報送信段階と；
上記サブコンテンツ権利者装置が、上記メインコンテンツ権利者装置から、リンク条件を暗号化したリンク許諾情報を受信し、上記受信したリンク許諾情報に基づいて、上記リンク管理装置にリンク付けを依頼するコンテンツリンク依頼情報を送信するコンテンツリンク依頼情報送信段階と；、
上記リンク管理装置が、上記メインコンテンツ権利者装置から上記解読用鍵を受信し、また、上記サブコンテンツ権利者装置から上記コンテンツリンク依頼情報を受信する受信段階と；
上記受信した上記解読用鍵を用いて、上記受信したリンク許諾情報を解読する解読段階と；
上記解読が成功し、上記コンテンツリンク依頼情報が、上記解読したリンク許諾情報と整合していれば、上記コンテンツリンク依頼情報を登録するコンテンツリンク依頼情報登録段階と；
を有することを特徴とするコンテンツ間リンク付け制御方法。
【請求項１０】
請求項９において、
上記リンク管理装置は、当該解読用鍵を用いて、受信した上記コンテンツリンク許諾情報の解読を試みた結果、解読できない場合には、上記コンテンツリンク許諾情報が不正であると判断し、上記サブコンテンツ権利者装置にその旨を返信するとともに、上記メインコンテンツ権利者装置に不正なコンテンツリンク依頼があった旨の情報を送信することを特徴とするコンテンツ間リンク付け制御方法。
【請求項１１】
請求項９において、
上記メインコンテンツ権利者装置は、上記メインコンテンツをネットワーク上に公開し、上記サブコンテンツ権利者装置は、上記サブコンテンツをネットワーク上に公開することを特徴とするコンテンツ間リンク付け制御方法。
【請求項１２】
請求項９において、
上記サブコンテンツ権利者装置は、上記リンク許諾情報に追加する追加リンク情報がある場合には、上記追加リンク情報を作成し、上記追加リンク情報と上記リンク許諾情報とを使用して、コンテンツリンク情報の登録依頼を送信することを特徴とするコンテンツ間リンク付け制御方法。
【請求項１３】
請求項９において、
上記サブコンテンツ権利者装置は、既に登録されているリンク情報を更新する際に、更新内容が、当該登録リンク情報におけるリンク許諾情報の範囲内であれば、メインコンテンツ権利者装置の許諾を改めて得ることなく、上記リンク管理装置にリンク情報の更新を依頼する手段を具備し、
上記リンク管理装置は、上記更新依頼が、正当な権利を有するサブコンテンツ権利者装置からのものであることを確認できれば、当該更新依頼の内容に基づいてリンク情報を更新する手段を具備することを特徴とするコンテンツ間リンク付け制御方法。
【請求項１４】
請求項９において、
上記サブコンテンツ権利者装置は、既に登録されているリンク情報を削除する場合に、当該削除依頼を、上記リンク管理装置に送信することを特徴とするコンテンツ間リンク付け制御方法。